【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
所定のアスペクト比の全体画像の一部を拡大表示することができる画像表示装置において、
前記所定のアスペクト比よりも大きいワイドアスペクト比の表示領域を有する表示手段と、
前記表示領域中に、前記全体画像と、前記全体画像の一部を拡大した拡大画像と、を同時に且つ重畳せずに表示する表示制御手段と、
を備えることを特徴とする画像表示装置。
【請求項２】
前記表示手段の表示領域は横長形状であり、
前記表示制御手段は、前記拡大画像の縦幅を、前記表示領域の縦幅と同等に表示する
ことを特徴とする請求項１に記載の画像表示装置。
【請求項３】
前記拡大画像は、前記所定のアスペクト比である
ことを特徴とする請求項１又は２に記載の画像表示装置。
【請求項４】
前記所定のアスペクト比は４：３であり、
前記ワイドアスペクト比は１６：９である
ことを特徴とする請求項１〜３の内何れか１項に記載の画像表示装置。
【請求項５】
前記表示制御手段は、前記拡大画像が前記全体画像のどの部分を拡大した画像であるのかを示す枠を、前記全体画像に重畳して表示する
ことを特徴とする請求項１〜４の何れか１項に記載の画像表示装置。
【請求項６】
前記枠を変更する枠変更手段を備え、
前記表示制御手段は、前記枠変更手段により枠が変更されたことに応じて、前記拡大画像を更新して表示する
ことを特徴とする請求項５に記載の画像表示装置。
【請求項７】
本画像と、この本画像を縮小した画像である第１サイズの縮小画像と、を関連付けて記録する記録手段を備え、
前記拡大画像は、前記本画像又は前記第１サイズの縮小画像から作成した画像である
ことを特徴とする請求項１〜６の何れか１項に記載の画像表示装置。
【請求項８】
本画像と、この本画像を縮小した画像である第１サイズの縮小画像と、を関連付けて記録する記録手段と、
所定の選択条件により、前記拡大画像を、前記本画像から作成するか、第１サイズの縮小画像から作成するか、を選択して作成する拡大画像作成手段と、
を備えることを特徴とする請求項１〜７の何れか１項に記載の画像表示装置。
【請求項９】
前記選択条件は、前記拡大画像のサイズが本画像サイズを超えるか否かであり、
前記拡大画像作成手段は、前記拡大画像を、前記拡大画像のサイズが本画像サイズを超える場合には前記拡大画像を前記本画像から作成し、前記拡大画像のサイズが本画像サイズを超えない場合には第１サイズの縮小画像から作成する
ことを特徴とする請求項８に記載の画像表示装置。
【請求項１０】
前記記録手段は、第１サイズより更に小さい第２サイズの縮小画像を前記本画像と関連付けて記録し、
前記全体画像は前記第２サイズの縮小画像から作成する
ことを特徴とする請求項７〜９の何れか１項に記載の画像表示装置。
【請求項１１】
被写体を撮影して所定のアスペクト比の撮影画像を得る撮像手段を備え、
前記全体画像はこの撮像手段で撮影した撮影画像である
ことを特徴とする請求項１〜１０の何れか１項に記載の画像表示装置。
【請求項１２】
前記全体画像は、前記撮像手段で撮影したスルー画像である
ことを特徴とする請求項１１に記載の画像表示装置。
【請求項１３】
所定のアスペクト比よりも大きいワイドアスペクト比の表示領域を有する表示部を備え、前記所定のアスペクト比の全体画像の一部を拡大表示することができる画像表示装置に搭載したコンピュータに、
前記表示領域中に、前記全体画像と、前記全体画像の一部を拡大した拡大画像と、を同時に且つ重畳せずに表示する処理
を実行させることを特徴とするプログラム。
【手続補正２】
【補正対象書類名】明細書
【補正対象項目名】発明の名称
【補正方法】変更
【補正の内容】
【発明の名称】画像表示装置及びそのプログラム
【手続補正３】
【補正対象書類名】明細書
【補正対象項目名】０００１
【補正方法】変更
【補正の内容】
【０００１】
本発明は、特にデジタルカメラ、カメラ付き携帯電話などの撮像装置自体やそれに用いて好適な表示装置に関し、特に、横長液晶などのワイド画面を備えた画像表示装置及びそのプログラムに関する。
【手続補正４】
【補正対象書類名】明細書
【補正対象項目名】００１０
【補正方法】変更
【補正の内容】
【００１０】
この発明は上記事情に鑑みて成されたもので、ワイド画面を採用し、ワイド画面の表示領域を有効に活用した画像表示装置及びそのプログラムに関する。
【手続補正５】
【補正対象書類名】明細書
【補正対象項目名】００１１
【補正方法】変更
【補正の内容】
【００１１】
上記課題を解決するため、請求項１記載の発明は、所定のアスペクト比の全体画像の一部を拡大表示することができる画像表示装置において、前記所定のアスペクト比よりも大きいワイドアスペクト比の表示領域を有する表示手段と、前記表示領域中に、前記全体画像と、前記全体画像の一部を拡大した拡大画像と、を同時に且つ重畳せずに表示する表示制御手段と、を備えることを特徴とする画像表示装置とした。
【手続補正６】
【補正対象書類名】明細書
【補正対象項目名】００１２
【補正方法】変更
【補正の内容】
【００１２】
請求項２記載の発明は、前記表示手段の表示領域は横長形状であり、前記表示制御手段は、前記拡大画像の縦幅を、前記表示領域の縦幅と同等に表示することを特徴とする請求項１に記載の画像表示装置とした。
【手続補正７】
【補正対象書類名】明細書
【補正対象項目名】００１３
【補正方法】変更
【補正の内容】
【００１３】
請求項３記載の発明は、前記拡大画像は、前記所定のアスペクト比であることを特徴とする請求項１又は２に記載の画像表示装置とした。
【手続補正８】
【補正対象書類名】明細書
【補正対象項目名】００１４
【補正方法】変更
【補正の内容】
【００１４】
請求項４記載の発明は、前記所定のアスペクト比は４：３であり、前記ワイドアスペクト比は１６：９であることを特徴とする請求項１〜３の内何れか１項に記載の画像表示装置とした。
【手続補正９】
【補正対象書類名】明細書
【補正対象項目名】００１５
【補正方法】変更
【補正の内容】
【００１５】
請求項５記載の発明は、前記表示制御手段は、前記拡大画像が前記全体画像のどの部分を拡大した画像であるのかを示す枠を、前記全体画像に重畳して表示することを特徴とする請求項１〜４の何れか１項に記載の画像表示装置とした。
【手続補正１０】
【補正対象書類名】明細書
【補正対象項目名】００１６
【補正方法】変更
【補正の内容】
【００１６】
請求項６記載の発明は、前記枠を変更する枠変更手段を備え、前記表示制御手段は、前記枠変更手段により枠が変更されたことに応じて、前記拡大画像を更新して表示することを特徴とする請求項５に記載の画像表示装置とした。
【手続補正１１】
【補正対象書類名】明細書
【補正対象項目名】００１７
【補正方法】変更
【補正の内容】
【００１７】
請求項７記載の発明は、画像と、この本画像を縮小した画像である第１サイズの縮小画像と、を関連付けて記録する記録手段を備え、前記拡大画像は、前記本画像又は前記第１サイズの縮小画像から作成した画像であることを特徴とする請求項１〜６の何れか１項に記載の画像表示装置とした。
【手続補正１２】
【補正対象書類名】明細書
【補正対象項目名】００１８
【補正方法】変更
【補正の内容】
【００１８】
請求項８記載の発明は、本画像と、この本画像を縮小した画像である第１サイズの縮小画像と、を関連付けて記録する記録手段と、所定の選択条件により、前記拡大画像を、前記本画像から作成するか、第１サイズの縮小画像から作成するか、を選択して作成する拡大画像作成手段と、を備えることを特徴とする請求項１〜７の何れか１項に記載の画像表示装置とした。
【手続補正１３】
【補正対象書類名】明細書
【補正対象項目名】００１９
【補正方法】変更
【補正の内容】
【００１９】
請求項９記載の発明は、前記選択条件は、前記拡大画像のサイズが本画像サイズを超えるか否かであり、前記拡大画像作成手段は、前記拡大画像を、前記拡大画像のサイズが本画像サイズを超える場合には前記拡大画像を前記本画像から作成し、前記拡大画像のサイズが本画像サイズを超えない場合には第１サイズの縮小画像から作成することを特徴とする請求項８に記載の画像表示装置とした。
【手続補正１４】
【補正対象書類名】明細書
【補正対象項目名】００２０
【補正方法】変更
【補正の内容】
【００２０】
請求項１０記載の発明は、前記記録手段は、第１サイズより更に小さい第２サイズの縮小画像を前記本画像と関連付けて記録し、前記全体画像は前記第２サイズの縮小画像から作成することを特徴とする請求項７〜９の何れか１項に記載の画像表示装置とした。
【手続補正１５】
【補正対象書類名】明細書
【補正対象項目名】００２１
【補正方法】変更
【補正の内容】
【００２１】
請求項１１記載の発明は、被写体を撮影して所定のアスペクト比の撮影画像を得る撮像手段を備え、前記全体画像はこの撮像手段で撮影した撮影画像であることを特徴とする請求項１〜１０の何れか１項に記載の画像表示装置とした。
【手続補正１６】
【補正対象書類名】明細書
【補正対象項目名】００２２
【補正方法】変更
【補正の内容】
【００２２】
請求項１２記載の発明は、前記全体画像は、前記撮像手段で撮影したスルー画像であることを特徴とする請求項１１に記載の画像表示装置とした。
【手続補正１７】
【補正対象書類名】明細書
【補正対象項目名】００２３
【補正方法】変更
【補正の内容】
【００２３】
請求項１３記載の発明は、所定のアスペクト比よりも大きいワイドアスペクト比の表示領域を有する表示部を備え、前記所定のアスペクト比の全体画像の一部を拡大表示することができる画像表示装置に搭載したコンピュータに、前記表示領域中に、前記全体画像と、前記全体画像の一部を拡大した拡大画像と、を同時に且つ重畳せずに表示する処理を実行させることを特徴とするプログラムとした。
【手続補正１８】
【補正対象書類名】明細書
【補正対象項目名】００２４
【補正方法】変更
【補正の内容】
【００２４】
本発明によれば、撮影時に、ワイドが画面の領域を有効に活用することによって、拡大画像と共に全体画像を確認しながら電子ズームできる。